Podtech/llm-jp-corpus-v4-ja_patent huggingface dataset:
(57)【要約】【課題】簡易な構造において、容易にネットを張設させることが可能なスポーツ用ネットを提供するものである。【０００１】【解決手段】スポーツ用ネットにおいて、ネット本体（Ｎ）両端が取り付けられる支柱（１，１’）の下方部に連結パイプ（２）が接合され、該連結パイプ（２）に嵌合される貫通孔部と下端部に台座を備えた張設補助支柱（Ｘ）が設けられたことを特徴とするものである。【選択図】          図１
2004166884.tif 000002
【特許請求の範囲】
【請求項１】
ネット本体（Ｎ）両端が取り付けられる支柱（１，１’）の下方部に連結パイプ（２）が接合され、該連結パイプ（２）に嵌合される貫通孔部と下端部に台座を備えた張設補助支柱（Ｘ）が設けられることを特徴とするスポーツ用ネット。
【発明の詳細な説明】
【０００１】
【発明の属する技術分野】
本発明は、ソフトバレー、バトミントンに用いられるスポーツ用ネットに関するものであり、詳細には、簡易な構造において、容易にネットを張設することが可能なスポーツ用ネットに関するものである。
【０００２】
【従来の技術】
従来より提供されているソフトバレーやバトミントンに用いられるスポーツ用ネットは、体育館などの競技施設内の床面に予め備えられたネットの支柱差し込み孔に支柱を設置するものであった。すなわち、ネット本体の両端を取り付ける支柱の下部を床下に差し込み固定させ、当該スポーツ用ネットをセットする方法が採用される。（例えば、非特許文献１参照。）
【０００３】
【非特許文献１】株式会社藤栄「２００２  ＳＰＯＲＴＩＮＧ  ＧＯＯＤＳ  ＣＡＴＡＬＯＧＵＥ」。
【０００４】
また、上記のような差し込み孔の備えていない施設内においてスポーツ用ネットをセットする場合は、両支柱に重しが付設されたタイプを使用するものであった。（例えば、非特許文献１参照。）
【０００５】
さて、差し込みタイプのスポーツ用ネットは、既述のとおり施設内に差し込み孔が予め設けられていない場合は使用することができない。
【０００６】
一方、重しを付設するタイプのスポーツ用ネットは、その付設される重しは一般に各６０キログラム程度を要し、設置作業や運搬、保管が不便となり、また製品のコストも増大する。
【０００７】
【発明が解決しようとする課題】
本発明はかかる問題点に鑑みなされたものであり、その目的とするところは、簡易な構造において、容易にネットを張設させることが可能なスポーツ用ネットを提供するものである。
【０００８】
【課題を解決するための手段】
本発明は上記の目的を達成するためになされたものであり、
スポーツ用ネットにおいて、ネット本体（Ｎ）両端が取り付けられる支柱（１，１’）の下方部に連結パイプ（２）が接合され、該連結パイプ（２）に嵌合される貫通孔部と下端部に台座を備えた張設補助支柱（Ｘ）が設けられたことを特徴とするものである。
【０００９】
【発明の実施の形態】
本発明の実施の形態を図面に基づき説明する。
【００１０】
図１は、本発明に係るスポーツ用ネットの一実施例において、張設補助支柱を立設させた状態を示す斜視図であり、図２は、本発明に係るスポーツ用ネットの一実施例において、張設補助支柱を立設させない状態を示す斜視図である。
【００１１】
また、図３は、本発明に係るスポーツ用ネットの一実施例において、張設補助支柱を立設させた状態の連結パイプと張設補助支柱を示す斜視図である。
【００１２】
本発明の請求項１に係る発明は、上記の通り、ネット本体（Ｎ）とネット本体（Ｎ）の両端が取り付けられる二本の支柱（１，１’）と該支柱（１，１’）の下方部において接合される連結パイプ（２）と該連結パイプ（２）に嵌合された張設補助支柱（Ｘ）とからなるものである。
【００１３】
支柱（１，１’）には、例えば、所定の長さに切断された金属製パイプ材が用いられ、かかる支柱（１，１’）にネット本体（Ｎ）が取り付けられる。
【００１４】
支柱（１，１’）の下方部に接合された連結パイプ（２）には、例えば適宜長さを有する細径金属製パイプが用いられ、両端部が両支柱（１，１’）に取り外し自在に接合されている。
【００１５】
なお、連結パイプ（２）は図３に示すように、中央部において、分解自在の各パイプが結合されており、また、両支柱（１，１’）間に比し僅かに長い全長を有しているため、張設補助支柱（Ｘ）を立てた際に、連結パイプ（２）が円弧状に曲がりやすくなるように構成される。
【００１６】
張設補助支柱（Ｘ）は、例えば、頂部が左右方向に開口される貫通孔部が形成されており、底部には、張設補助支柱（Ｘ）が支柱と並行に立設可能なように台座を備えるものである。
【００１７】
すなわち、張設補助支柱（Ｘ）は、図に示す実施例のごとく全体形状として逆Ｔ字状に形成されるような簡易な構造で効果を奏することが可能となる。
【００１８】
なお、張設補助支柱（Ｘ）の全長は、３０センチメートル程度により十分効果を奏するに至るものである。
【００１９】
本発明においては、ネット本体（Ｎ）両端が取り付けられる支柱（１，１’）の下方部に横設される連結パイプ（２）に嵌合される張設補助支柱（Ｘ）を該連結パイプ（２）の略中央部に配設させたうえ、連結パイプ中心部を持ち上げた状態において、張設補助支柱（Ｘ）を立設させることにより、弛んでいたネット本体（Ｎ）がテンションの利いた状態で張設することが可能となるものである。
【００２０】
細径金属製パイプなどからなる連結パイプ（２）は、図示のように、張設補助支柱（Ｘ）により、弧状に緩やかに曲がった状態となる。
【００２１】
【発明の効果】
本発明は上記に詳述した構成よりなるものであり、以下に示す効果を奏するものである。
【００２２】
簡易な構造において、容易にネットを張設することができるスポーツ用ネットを提供することが可能となる。
【図面の簡単な説明】
【図１】本発明に係るスポーツ用ネットの一実施例において、張設補助支柱を立設させた状態を示す斜視図。
【図２】本発明に係るスポーツ用ネットの一実施例において、張設補助支柱を立設させない状態を示す正面図。
【図３】本発明に係るスポーツ用ネットの一実施例において、張設補助支柱を立設させた状態の連結パイプと張設補助支柱を示す斜視図。
【符号の説明】
１、１’  支柱
２        連結パイプ
Ｘ        張設補助支柱
Ｎ        ネット本体
【図１】
2004166884.tif 000003
【図２】
2004166884.tif 000004
【図３】
2004166884.tif 000005
(57)【要約】【課題】腹部運動（ダイエット）を継続するために、器具の設置・片付けの煩わしさのない椅子式腹部運動器具を提供する。【解決手段】椅子に座った状態で腹部運動（ダイエット）を行うために、椅子の背もたれ（３）と肘掛（４）を座面と分離して設置する。座面（２）が回転して座っている人の下半身が、左右に半回転往復運動しても上半身は背もたれ（３）と肘掛（４）により固定されて腹部の運動ができるようにした。また、座面の下部にモーターを取り付けることにより、自動的に半回転往復運動をすることにより座るだけで楽に腹部運動（ダイエット）ができるようにした。本発明の椅子は普通の椅子として使用できるので、通常の運動器具のように設置・片付けが不要である。【選択図】  図１
2004166871.tif 000002
【特許請求の範囲】
【請求項１】
椅子の座面が回転しても背もたれ部分は、動かないで固定されていることを特徴とする椅子。
【請求項２】
椅子の座面が回転しても肘掛部分は動かないで固定されていることを特徴とする椅子。
【請求項３】
椅子の座面をモーターによって、半回転往復運動できることを特徴とする前記の請求項１及び請求項２の椅子。
【発明の詳細な説明】
【０００１】
【発明の属する技術分野】本発明は、椅子の座面と背もたれ・肘掛を直結しないで分離して、座面だけが回転することにより腹部運動を行う椅子に関するものである。
【０００２】
【従来の技術】従来のダイエット運動器具は、使用するとき設置・片付けが必要であった。それは、器具がその目的のためだけに使用されているためである。
その解決のために、特許出願番号特願平９−２００７３６号公報の健康椅子があるがそれは背もたれ部分を左右に回動又は直動できるようにした椅子で本発明の座面だけが回転して腹部の運動を行うものとは違う。
また、特願平８−３１５４２７号公報、特願平１１−５３３５６号公報は座面を８の字に揺動させたりして座面を傾斜させるものである。
上記の３発明はいずれも座面と背もたれ・肘掛が一体化している、
図１のように座面と背もたれ・肘掛が分離することにより運動効果がより高められているのは本発明だけである。
【０００３】
【発明が解決しようとする課題】本発明は、従来のダイエット運動器具の設置・片付けの煩わしさを無くすために、普通の椅子でダイエット運動が行える事を課題として研究を進めた。
椅子に座って下半身をねじても上半身は、固定されて腹部の運動がきるようにした。
【０００４】
【課題を解決するための手段】椅子に座った状態で腹部の運動を行うために、身体の下半身だけが回転運動ができるようにする。そのために座面と背もたれ・肘掛は座面と直結しないようにした。
そして、座面だけがモーターで半回転往復運動できるように座面下部にモーターを取り付けた。
【０００５】
【発明の実施の形態】つぎに、本発明の実施の形態を図１に基づいて説明する。
普通の椅子との違いは座面と直結して付いている背もたれ・肘掛を座面と分離した事である。
座面が回転できる椅子本体（１）と座面（２）があり。背もたれ（３）は、椅子本体（１）と直結している。肘掛（４）も椅子本体（１）又は背もたれ（３）と直結している。
モーター（５）を座面の下部に取り付けて、扇風機の首振り運動のようにモーターの動力により座面が半回転往復運動を行う。
図１は斜面図である。
【０００６】
【発明の効果】本発明の椅子は、従来のダイエット運動器具のように設置・片付けの煩わしさがありません。
一般的な家庭のどこにでもある椅子として使用できます。モーターを外せば、普通の肘掛付き椅子です。
今まで数多くのダイエット運動器具が販売されましたが、いずれも一時的なブームに終わっています。それはその器具を使用するための設置・片付けが、煩わしいために長続きせず効果が見えてもなかったからです。
忙しい現代人にとって、まとまった数分の時間をダイエット運動に充てる余裕がないため継続ができません。
本発明の椅子は数分でも使用できるので継続でき、継続することにより効果が表れて楽しくダイエット運動ができます。
【図面の簡単な説明】
【図１】本発明椅子の斜面図
【符号の説明】
１  椅子本体
２  座面
３  背もたれ
４  肘掛
５  モーター
【図１】
2004166871.tif 000003
(57)【要約】【課題】バルコニーの手すりに布団を架けて干すときに布団全体に日光が当たるようにすることが可能な布団干し用具の提供。【解決手段】ベース部材１、ベース部材１から立設された二本の支柱２，２、支柱２，２の頂部２ａ，２ａを連結する横杆３、支柱２，２に基部４ａが支承され、先端が横棒４ｂで連結されているアーム部材４，４、アーム部材４，４と支柱２，２間に掛けわたされた支持杆５，５からなり、横杆３及び横棒４ｂがバルコニーの手すりＢの上縁とほぼ同じ高さに構成する。【選択図】  図１
2004166850.tif 000002
【特許請求の範囲】
【請求項１】
ベース部材１、ベース部材１から立設された二本の支柱２，２、支柱２，２の頂部２ａ，２ａを連結する横杆３、支柱２，２に基部４ａが支承され、先端が横棒４ｂで連結されているアーム部材４，４、アーム部材４，４と支柱２，２間に掛けわたされた支持杆５，５からなり、横杆３及び横棒４ｂがバルコニーの手すりＢの上縁とほぼ同じ高さに構成されてなる布団干し用具。
【発明の詳細な説明】
【０００１】
【発明の属する技術分野】
本発明は、バルコニーにおいて使用する布団干し具に関するものである。
【０００２】
【従来の技術】
布団は就寝時に人間から発散される水分を吸収する。これを乾燥するため集合住宅（いわゆるマンション）やバルコニー（ベランダともいう）を有する戸建ての家屋では、好天時にバルコニーの手すりＢに布団を架けて日光に曝す布団干しが行われている。
【０００３】
【発明が解決しようとする課題】
このようにバルコニーの手すり（以下単に手すりという）に布団を架ける方法であってので、手すりに布団を架けたときに屋外側となる部分には充分日光が当たるが、屋内側は常に日陰となっていた。このため太陽の恵みを充分に活かすことができなかった。
【０００４】
本願の発明は、かかる欠点に鑑みてなされたもので、従来は日陰となっていた部分にもできる限り日光が当たるようにできる布団干し用具を提供するものである。
【０００５】
【課題を解決するための手段】
本願発明は、ベース部材１、ベース部材１から立設された二本の支柱２，２、支柱２，２の頂部２ａ，２ａを連結する横杆３、支柱２，２に基部４ａが支承され、先端が横棒４ｂで連結されているアーム部材４，４、アーム部材４，４と支柱２，２間に掛けわたされた支持杆５，５からなり、横杆３及び横棒４ｂがバルコニーの手すりＢの上縁とほぼ同じ高さに構成されてなる布団干し用具である。
【０００６】
本願の発明の布団干し用具は支柱２，２が手すりＢの室内側に接するように設置して使用する。布団を干すときには、布団を手すりＢ及び横棒４ｂ上に載せるようにすることで、従来は日陰となっていた部分にも日光を当てることができるようになる。
【０００７】
【発明の実施の形態】
以下図面により本発明の実施の形態を説明する。
図１は、本発明の一実施例を示す斜視図である。
【０００８】
本願発明において、各部材は、布団を支持できる強度を得られるものであればよい。
布団を支承可能な強度を備えかつ屋外で日照や風雨に曝されることを考慮すると、塩化ビニル、強化プラスチック、スチール、アルミ合金ダイキャスト、アルミニウム、ステンレスなど腐食に強く、美麗な外観が得られるパイプ材やアングル材を使用することができる。
なかでも、軽量、低価格かつ加工容易であることから塩化ビニルのパイプが好ましい。外径８〜１２ｍｍで肉厚１〜２ｍｍのパイプが好ましい。
【０００９】
図面に示す実施の態様は、パイプを折り曲げ加工した例であり、ベース部材１、二本の支柱２，２及び横杆３は１本の連続したパイプ材を折り曲げ加工して構成したものである。部品点数を少なくするためであるが、これらの部材は直管を適宜の継ぎ手によって連結するようにしてもよい。部品点数が増加するものの、加工組立てが容易であるという利点がある。
アーム部材４，４と横棒４ｂについても同様に考えてよい。
【００１０】
支柱２，２には下半部適宜の高さに下横杆２ｂを渡しておくのが好ましい。横杆３とあいまって全体としての剛性を維持するためである。支柱２，２と下横杆２ｂとはＴ字継ぎ手（図示省略）によって連結される。
同様にして、アーム部材４，４にも適宜の位置にアーム横杆４ｃを渡しておくのが好ましい。アーム横杆４ｃは、剛性を維持するとともに布団載せたときに、支えとして働きたるみを少なくする。
【００１１】
アーム部材４，４の基部４ａ，４ａは、支柱２，２の上部に連結される。
この連結については、軸を使用して、回動自在とするのが好ましい。不使用時には横棒４ｂが下になるように垂下させておくことができるからである。
【００１２】
アーム部材４，４と支柱２，２間に掛けわたされた支持杆５，５は、アーム部材４，４に負荷される荷重を受けるてためのものである。
アーム部材４，４の基部４ａ，４ａを回動自在としたときには、支持杆５，５は一方の連結部を回動自在とし他方の連結部は連結を外すことができるようにする。他方の連結部の連結を外し、アーム部材４，４を垂下させるとともに、支持杆５，５も回動自在の連結部を中心として回動させて収納する。
【００１３】
本発明になる布団干し具は、布団を載せただけで倒れることは考えられない。しかしながら、横棒４ｂに寄り掛かるなど大きな荷重が加わったときには倒れることも考えられる。そこで、横杆３と手すりＢの上縁に冂字状（但し右下のはねがない形である）の固定具６により固定するようにするのが好ましい。
手すりＢの上縁は形状寸法（幅）が一定していないことから、固定具６を使用できないことも考えられる。そのような場合には面倒ではあるが紐を利用して括り付けるようにする。
【００１４】
バルコニーの手すりＢに布団を架けて布団を干す場合には布団ばさみを用いて布団が風によってあおられて落下するのを防いでいる。
本発明になる布団干し具においては布団ばさみを従来のような形態で使用することができない。
布団ばさみを用いて横棒４ｂに布団をはさみこむ、又は紐を用いいてアーム部材４，４にくくりつけておく。
布団ばさみ７を横棒４ｂに取り付けておいて布団をはさむようすることも考えられる。
【００１５】
【発明の効果】
本発明よれば、バルコニー等の手すりに布団を架けて干すときに、従来は日陰となって日光が充分に当たらなかった部分にも日光を当てることができる。
【図面の簡単な説明】
【図１】本発明の一実施例を示す斜視図である。
【符号の説明】
Ｂ  手すり
１  ベース部材
２  支柱
２ａ  支柱の頂部
３  横杆
４  アーム部材
４ａ  アーム部材の基部
４ｂ  横棒
４ｃ  アーム横杆
５  支持杆
６  固定具
１  布団ばさみ
【図１】
2004166850.tif 000003
(57)【要約】【課題】本発明は、機器の取り付けが容易であり、配線やメンテナンスもし易い、機器配線盤１を提供することを目的としている。【解決手段】本発明に係る機器配線盤１において、箱体３に設けられる基台６は一辺を箱体３に設けられた基台取り付け金具８に蝶着すると共に、蝶着側とは反対の辺の隅にマウントアングル７を立設し、基台６を蝶番を支点に回動動作により上げ下げできることを特徴とし、機器配線盤１の取り付け、配線やメンテナンス作業の効率を上げることができる。【選択図】        図１
2004166419.tif 000002
【特許請求の範囲】
【請求項１】
前面に開口を有する箱体に機器取り付け用の木板や基台等を取り付け、各種電気機器等を前記木板や基台等に載置、配線する機器配線盤において、前記基台は一辺を前記箱体に蝶着すると共に、蝶着側とは反対の辺の隅にマウントアングルを立設し、前記基台を蝶番を支点に回動動作により上げ下げできることを特徴とする機器配線盤。
【発明の詳細な説明】
【０００１】
【発明の属する技術分野】
本発明は、前面に開口を有する箱体に機器取り付け用の木板や基台等を取り付け、各種電気機器等を基台に載置、配線する機器配線盤に関する。
【０００２】
【従来の技術】
従来技術における機器配線盤は、特開２０００−１８４５２３号に示されるようなものがあった。筐体の内部にマウントアングルを直接取り付け、筐体に固定されたマウントアングルに機器を取り付けるものである。
【０００３】
【発明が解決しようとする課題】
しかしながら、上記従来技術における機器配線盤では、マウントアングルが筐体に直接取り付けられており、機器をマウントアングルに取り付けにくいという欠点があった。そのため、機器の配線やメンテナンスの作業も容易に行うことができなかった。
【０００４】
【課題を解決するための手段】
そこで本発明は、機器の取り付けが容易であり、配線やメンテナンスもし易い、機器配線盤を提供することを目的とし、その構造は、基台は一辺を前記箱体に蝶着すると共に、蝶着側とは反対の辺の隅にマウントアングルを立設し、基台を蝶番を支点に回動動作により上げ下げできることを特徴とする。
【０００５】
【発明の実施の形態】
本発明に係る機器配線盤は、前面に開口を有する箱体に機器取り付け用の木板や基台を取り付け、開口は扉体で施蓋する。基台にはラックマウント用の機器を取り付けるために、マウントアングルが設けられている。基台は４辺のうち１辺を箱体に蝶着し、この蝶番を支点として回動動作により持ち上げ可能としている。マウントアングルに機器を取り付ける場合には、基台を持ち上げ、マウントアングルを箱体の側面より離して作業しやすくする。
【０００６】
【実施例】
本発明に係る機器配線盤の実施例を図１〜図２の添付図面に基づいて説明する。
【０００７】
機器配線盤１は、前面に開口２を有する箱体３に各種機器を収納し、前面の開口２は扉体４で被覆する。箱体３には、機器取り付け用の木板５や基台６が取り付けられる。基台６にはマウントアングル７が立設され、マウントアングル７にラックマウント用の機器が取り付けられる。
【０００８】
箱体３には基台取り付け金具８を４辺のいずれかに設ける。基台取り付け金具８に基台６を蝶着し、基台６が回動動作により箱体３の底面より浮かすことができる。マウントアングル７は、箱体３の側面に平行して立てられるため、従来、マウントアングル７への機器の取り付けが箱体３の側面が障害となり、作業がしにくかったが、基台６を回転させて上げ、マウントアングル７が箱体３の側面より外側へ出してから、機器を取り付けることにより、作業性が向上する。
【０００９】
蝶番とマウントアングルは、上下左右どちらの辺にも取り付け可能である。図２は、基台６の下側を蝶着し、マウントアングル７を基台６上側の辺の隅に立設している。機器の取り付け方向や、作業のしやすい方向にマウントアングル７を装着し、その反対側を蝶着する。
【００１０】
箱体３は反転させることで木板５と基台６の位置を上下変えることができる。同じ箱体、同じ部品で機器取り付け位置を任意に変更できるものである。
【００１１】
【発明の効果】
以上述べたように、本発明に係る機器配線盤は、基台は一辺を箱体に蝶着すると共に、蝶着側とは反対の辺の隅にマウントアングルを立設し、基台を蝶番を支点に回動動作により上げ下げできるため、マウントアングルへ機器を取り付ける際に、マウントアングルが箱体の側面より外側に上げることができるので、マウントアングルへの機器の取り付け作業がしやすくなり、配線やメンテナンスも容易になる上、機器の動作確認もしやすくなる。
【図面の簡単な説明】
【図１】本発明に係る機器配線盤を示す説明図である。
【図２】本発明に係る機器配線盤を示す正面図である。
【符号の説明】
１      機器配線盤
２      開口
３      箱体
４      扉体
５      木板
６      基台
７      マウントアングル
８      基台取り付け金具
【図１】
2004166419.tif 000003
【図２】
2004166419.tif 000004
(57)【要約】【目的】この発電機は、コイルをコの字状にして固定しガイシと整流子を廃止し、磁石軸受を使用して発電する場合の回転時の接触部分を少なくして、摩擦損失を小さくしたものである、さらにこの発電機を真空容器内で使用して、磁石を回転させる時の空気抵抗が排除できるようにしたものである。【構成】真空容器１に軸受２、コイル設置台３、磁石軸受５、加速機１１を取りつけ、回転体７に回転軸８、磁石９、磁石軸受６を取りつけたもの。【選択図】  図１
2004166467.tif 000002
【特許請求の範囲】
【請求項１】
コイルをコの字型に配線して固定しブラシと整流子を廃止して、磁石がコイルの中を回転して発電するようにした発電機。
【請求項２】
磁石を取りつけた回転体を磁石軸受で浮上させ、回転体と磁石の荷重が軸受に加わらないようにし、回転時の摩擦損失を少なくして発電するようにした発電機。
【請求項３】
ブラシと整流子等を廃止し、磁石軸受で回転体を浮上させ、摩擦損失を少なくし真空容器の中で発電するようにして、回転体が回転する時に発生する空気抵抗を受けないようにした発電機。
【発明の詳細な説明】
この発明は、発電機のコイル部分をコの字型に配線して固定し、ブラシと整流子を廃止しさらに回転体を磁石軸受で浮上させる、このことによってブラシと整流子の間の摩擦損失を排除すると共に、回転体の回転軸と軸受の間の摩擦損失を少なくして真空容器にこれを設置し、空気抵抗を受けずに発電するようにした発電機に関するものである。
構  造
真空容器１にコイル４をコの字状に配線したコイル設置台３を円状に固定する回転軸８を回転体７の中心に固定し、回転体７に磁石９を円状に固定する。
回転軸８に磁石軸受６を固定する。
真空容器１に磁石軸受５と軸受２を固定する。
回転体８は加速機１０でクラッチ１１を通じて回転させる。
原  理
図８において説明すると、Ａ−１、Ｂ−１において磁石を矢印の方向に動かすと電流はコイルを一定方向に流れる。
Ａ−２、Ｂ−２はコイルを９０度おり曲げた状態であり、この状態において磁石を矢印の方向に動かしても電流はコイルを一定方向に流れる。
Ａ−３、Ｂ−３はコイルを１８０度おり曲げた状態であり、この状態において磁石を矢印の方向に動かしても電流はコイルを一定方向に流れる。
Ａ−３、Ｂ−３の状態で、コイルを円状に配置し、さらに磁石を回転体に円状に配置して、回転体を回転させればコイルに電流を発生させることができる。
Ａ−３、Ｂ−３の状態で、コイルを真空容器内に円状に固定し、さらに回転体に磁石を円状に固定して、回転体を回転させて発電するようにしたものが  図１図２に示す、真空内コの字コイル固定式発電機である。
特  長
コイルをコの字状に配線し固定することによって、コイルの中を磁石が通過する状態で発電できる。
コイルをコの字状に配線し固定するとブラシと整流子を廃止することができるそうすれぱ発電時にブラシと整流子の間に発生する摩擦損失を除去できる
磁石軸受を使用すれば、磁石軸受の磁石の反発力によって回転体を浮上させることができ、回転体の荷重が加わる部分の軸受に摩擦損失が発生しない。
コイルをコの字状に配線し、磁石軸受を使用して磁石の反発力を利用すれば、磁石を回転させて発電する時に発生する摩擦部分は、回転軸の横揺れを防止する軸受と回転軸の接触部分のみである。
ブラシと整流子を廃止し、磁石軸受を使用することによる発電方法ならば、構造が簡単になり、回転時の接触部分が少なくなる、故にこの発電機を真空容器の中に設置して発電をすることができる。
真空容器の中で発電することができれば、磁石の回転時に発生する空気抵抗を排除することができる。
空気抵抗が排除できれば、回転体の長時間の回転が可能となる。
この発電機は構造が単純なので、磁石及びコイルの数を増やすだけで簡単により大きな発電機の製作が可能である。
【図面の簡単な説明】
【図１】本発明の正面図
【図２】本発明の平面図
【図３】本発明のＡ−Ａ断面図
【図４】本発明のＢ−Ｂ断面図
【図５】本発明のコイルとコイル設置台の正面図
【図６】本発明のコイルとコイル設置台の側面図
【図７】本発明のコイルとコイル設置台の平面図
【図８】本発明の原理を説明する為の略図
【符号の説明】
１は真空容器
２は軸受
３はコイル設置台
４はコイル
５は磁石軸受
６は磁石軸受
７は回転体
８は回転軸
９は磁石
１０は加速機
１１はクラッチ
１２は空気出入口
【図１】
2004166467.tif 000003
【図２】
2004166467.tif 000004
【図３】
2004166467.tif 000005
【図４】
2004166467.tif 000006
【図５】
2004166467.tif 000007
【図６】
2004166467.tif 000008
【図７】
2004166467.tif 000009
【図８】
2004166467.tif 000010
(57)【要約】【課題】高力率形の直流電源装置を提供する。【解決手段】直流電源回路１００と入力電流が増減する直流負荷回路２００とを具備する。前記直流電源回路１００は整流電源１０と一対のインダクタ２１・２２と一対のコンデンサ３１・３２を備える。前記整流電源１０は交流電源１１電圧を整流するものである。前記整流電源１０の正端子を一方の前記インダクタ２１を介して直流出力正端子４１に接続する。前記整流電源１０の負端子を他方の前記インダクタ２２を介して直流出力負端子４２に接続する。前記整流電源１０の正端子を一方の前記コンデンサ３１を介して前記直流出力負端子４２に接続する。前記整流電源１０の負端子を他方の前記コンデンサ３２を介して前記直流出力正端子４２に接続する。前記直流出力正負端子４１・４２間に前記直流負荷回路２００の直流入力端子を接続する。【選択図】      図１
2004166473.tif 000002
【特許請求の範囲】
【請求項１】
直流電源回路と入力電流が増減する直流負荷回路とを具備し、前記直流電源回路は整流電源と一対のインダクタと一対のコンデンサを備え、前記整流電源は交流電源電圧を整流するものであり、前記整流電源の正端子を一方の前記インダクタを介して直流出力正端子に接続し、前記整流電源の負端子を他方の前記インダクタを介して直流出力負端子に接続し、前記整流電源の正端子を一方の前記コンデンサを介して前記直流出力負端子に接続し、前記整流電源の負端子を他方の前記コンデンサを介して前記直流出力正端子に接続し、前記直流出力正負端子・間に前記直流負荷回路の直流入力端子を接続したことを特徴とする直流電源装置。
【発明の詳細な説明】
【０００１】
【発明の属する技術分野】
本発明は入力電流が増減する直流負荷回路を具備した直流電源装置に関するものである。
【０００２】
【従来の技術】
交流電源電圧を整流する整流電源を備え、前記整流電源電圧を平滑する平滑用コンデンサを備えた直流電源装置は公知である。
【０００３】
【発明が解決しようとする課題】
前記従来装置は整流電源へ平滑用コンデンサを直に接続する形態であり、低力率動作となる。その場合の整流電源電流はその電圧瞬時値がほば最大となる付近でピーク上に流れるが、その他の期間は給電休止期間であり、低力率形となる。
本発明の目的は高力率形の直流電源装置を提供することである。
【０００４】
【課題を解決するための手段】
上記課題を解決するために、図のように整流電源１０と一対のインダクタ２１・２２と一対のコンデンサ３１・３２を備え、コンデンサ３１（３２）放電がインダクタ２２（２１）を介してコンデンサ３２（３１）充電を助成するようにしたものである。
【０００５】
【発明の実施の形態】
本発明の実施形態について図２〜図５を用いて説明する。スイッチング素子６２がターンオンすると図２のように、スイッチング素子６２→インダクタ２２→コンデンサ３２→コンデンサ９０→インダクタ８２→スイッチング素子６２及びスイッチング素子６２→コンデンサ３１→インダクタ２１→コンデンサ９０→インダクタ８２→スイッチング素子６２の閉回路にそれぞれ電流が流れる。これにより、コンデンサ３１、３２が放電し、インダクタ２１、２２に電磁エネルギが蓄積する。この動作はスイッチング素子６２がターンオフするまで続く。
【０００６】
スイッチング素子６２がターンオフすると図３のように、インダクタ２１→コンデンサ３２→整流電源１０→インダクタ２１の開回路に電流が流れる。同時に、インダクタ２２→整流電源１０→コンデンサ３１→インダクタ２２の開回路に電流が流れる。これにより、インダクタ２１、２２の電磁エネルギが放出し、コンデンサ３１、３２が充電する。さらに、インダクタ８２→フライホイールダイオード７１→コンデンサ９０→インダクタ８２の閉回路にも電流が流れる。これにより、インダクタ８２の電磁エネルギが放出し、コンデンサ９０が充電する。スイッチング素子６１がターンオンすると図４のように、スイッチング素子６１→インダクタ８２→コンデンサ９０→スイッチング素子６１の開回路に電流が流れる。これにより、コンデンサ９０が放電し、インダクタ８２に電磁エネルギが蓄積する。
【０００７】
スイッチング素子６１がターンオフすると図５のように、フライホイールダイオード７２→インダクタ８２→コンデンサ９０→コンデンサ３２→整流電源１０→コンデンサ３１→フライホイールダイオード７２の閉回路に電流が流れる。以上の動作過程において、整流電源１０給電機会が増え導通角が広がり力率が高まる。
【０００８】
【発明の効果】
本発明により、力率を高めた直流電源装置を得ることができる。
【図面の簡単な説明】
【図１】本発明装置の回路図である。
【図２】同回路図の補助図である。
【符号の説明】
１０：整流電源
１１：交流電源
１２〜１５：整流ダイオード
２１，２２：インダクタ
３１，３２：コンデンサ
４１：直流出力正端子
４２：直流出力負端子
６１，６２：スイッチング素子
７１，７２：フライホイールダイオード
８０：負荷回路
８１：放電灯
８２：バラスト用インダクタ
８３：予熱用コンデンサ
９０：コンデンサ
【図１】
2004166473.tif 000003
【図２】
2004166473.tif 000004
【図３】
2004166473.tif 000005
【図４】
2004166473.tif 000006
【図５】
2004166473.tif 000007
【手続補正書】
【提出日】平成15年2月6日(2003.2.6)
【手続補正１】
【補正対象書類名】明細書
【補正対象項目名】図面の簡単な説明
【補正方法】変更
【補正の内容】
【図面の簡単な説明】
【図１】本発明装置の回路図である。
【図２】同回路図の補助図である。
【図３】同回路図の補助図である。
【図４】同回路図の補助図である。
【図５】同回路図の補助図である。
【符号の説明】
１０：整流電源
１１：交流電源
１２〜１５：整流ダイオード
２１，２２：インダクタ
３１，３２：コンデンサ
４１：直流出力正端子
４２：直流出力負端子
６１，６２：スイッチング素子
７１，７２：フライホイールダイオード
８０：負荷回路
８１：放電灯
８２：バラスト用インダクタ
８３：予熱用コンデンサ
９０：コンデンサ
(57)【要約】【課題】簡単な仕掛けで魚が掛かかったことを検知する。【解決手段】釣り竿１に取り付けたケース６内にスナップスイッチ７を収め、スイッチの操作レバー９はケース６の外に突き出し、前後方向に倒れるようにする。ケースの中には、発光ダイオード１１および電池１２が組み込み、レバー９が前に倒れると、スイッチの接点が閉じて、発光ダイオード１１が点灯するようになっている。釣り竿に沿って間隔を存して並んでいる釣り糸ガイドの間から釣り糸の途中を後方に引き出し、この引出し部３ａを後に倒したスイッチレバーに掛け、魚が掛かって釣り糸が引かれると、レバーが前に倒れてレバーから釣り糸が外れるように構成する。【選択図】        図２
2004166528.tif 000002
【特許請求の範囲】
【請求項１】
スナップスイッチを釣り竿に取り付け、釣り竿に沿って間隔を存して並んでいる釣り糸ガイドの間から釣り糸の途中を後方に引き出し、この引出し部を後に倒した該スイッチのレバーに掛け、魚が掛かって釣り糸が引かれると、該レバーが前に倒れて該レバーから釣り糸が外れるように構成した魚の引きを検知する装置。
【請求項２】
該レバーが前に倒れると作動する発光体またはブザーを設けた請求項１に記載の魚の引きを検知する装置。
【請求項３】
一時的に該レバーが前に倒れないようにするストッパを設けた請求項１または２に記載の魚の引きを検知する装置。
【発明の詳細な説明】
【０００１】
【発明の属する技術分野】
この発明は、カレイ、ハゼ、アナゴ等の釣り（投げ釣り）で使用する、魚の引きを検知する装置に関する。
【０００２】
【従来の技術】
魚が掛かかったとき、釣り竿を持っていれば手ごたえでそれとわかるが、置き竿をしているときは、竿先のたわみ具合で見なければならず、特に夜釣りの場合は分かりいくい。そこで、従来は、見やすいように竿先に化学発光体を取り付けたりしていた。また、竿先に振動センサーを取り付け、無線を使って離れたところにアラームを送るようにしたものもある。
【０００３】
【発明が解決しようとする課題】
この発明は、魚が掛かかったことを知らせる、もっと安価な装置を提供することを課題とする。
【０００４】
【課題を解決するための手段】
この発明は、スナップスイッチを釣り竿に取り付ける。釣り竿に沿って間隔を存して並んでいる釣り糸ガイドの間から釣り糸の途中を後に引き出し、この引出し部を後方に倒したスイッチのレバーに引っ掛け、魚が掛かって釣り糸が引かれると、レバーが前に倒れてレバーから釣り糸が外れるように構成する（請求項１）。
【０００５】
このように構成したので、魚が餌に喰い付いて釣り糸が引かれると、それに応じてスイッチレバーが前に倒れ、釣り糸がレバーから外れる。これにより魚が掛かったことが分かる。特にこの装置は、構造がシンプルであり、低コストで提供でき、維持費も掛からないという効果がある。
【０００６】
また、ひとたびレバーから釣り糸が外れると、引き出し部の長さだけ釣り糸がたるむので、再び釣り糸が張るまでの間に、魚は餌と共に針を口の奥まで飲み込む。したがって、針が外れにくく、魚を確実に巻き上げることができる効果がある。
【０００７】
なお、スイッチレバーが反転したことで、魚が掛かったことが分かるが、置き竿をしているときでもよく分かるように、スイッチの電気接点を利用して、発光体またはブザーが作動するようにしてもよい（請求項２）。
【０００８】
【発明の実施の形態】
図１に示すのは投げ釣りの仕掛けであり、釣り竿１の手元にあるリール２から引き出された釣り糸３は、釣り竿に沿って間隔を設けて並んでいるリング状のガイド５の中を通して釣り竿の先端から引き出されている。釣り糸の先には、図示しないが、従来どおり重りや釣り針が設けられる。
【０００９】
リールより少し前に取り付けたケース６内にスナップスイッチ７が収められており、スイッチの操作レバー９はケース６の外に突き出していて、前後方向に倒れるようになっている（図２、図３）。スナップスイッチの構造は従来どうりで、内部にコイルスプリング１０が縮設してあり、このスプリングにより、スイッチレバーは前または後に倒れた状態に付勢される。
【００１０】
ケースの中には、発光ダイオード１１および電池１２が組み込まれており、レバー９が前に倒れると、スイッチの接点が閉じて、発光ダイオード１１が点灯するようになっている。発光ダイオードだけでなく、ブザーを鳴らすようにしてもよい。
【００１１】
この装置を用いた釣りでは、従来どおり仕掛けを海に投入した後、図１に示すように、リングガイド５の間から釣り糸３を後に引き出し、引き出し部分３ａを、後ろに倒したスイッチレバー９に掛ける。次に、レバー９が前に倒れないように抑えながら、リール２を巻いて釣り糸３のたるみを取る。
【００１２】
このように、レールを巻いて釣り糸のたるみを取るときに、レバーが前に倒れないように、ケースの後面にストッパ１５を設けてもよい。ストッパは帯状で、先端に小さな孔１５ａがあいており、この孔を、レバー９の先端突起９ａにはめ込んでレバーが前に倒れないよう保持する。
【００１３】
こうして、置き竿をして魚が掛かるのを待つ。
【００１４】
餌に魚が喰い付いて釣り糸が引かれると、図２に鎖線で示すように、レバー９が前に倒れ、発光ダイオード１１が点灯する。同時に、レバー９から釣り糸３が外れ、一時的に釣り糸にたるみが生じる。このため、魚は、餌と共に釣り針を口の中深く飲み込む。
【００１５】
発光ダイオード１１が点灯したら、おもむろに竿１を取り上げて、リール２を巻き上げる。掛かった魚は釣り針を深く飲み込んでいるので、釣り針が外れることなく、確実に釣り上げることができる。
【図面の簡単な説明】
【図１】本発明装置を装着した釣り竿の説明図である。
【図２】本案装置の側面図である。
【図３】同じく横断面図である
【符号の説明】
１  釣り竿
３  釣り糸
３ａ  釣り糸の引き出し部
５  ガイド
７  スナップスイッチ
９  レバー
１１  発光ダイオード
１５  ストッパ
【図１】
2004166528.tif 000003
【図２】
2004166528.tif 000004
【図３】
2004166528.tif 000005
(57)【要約】【課題】漁網ロープに強固に且つ容易に結束取り付けできる漁網用フロートの提供。【解決手段】中空の本体１と、漁網ロープ５への複数の取付部２を備え、各取付部２は、本体と離れて位置する漁網ロープ受け面３と、本体と漁網ロープ受け面の間に位置する結束用ロープ挿通孔４とを有し、各取付部の漁網ロープ受け面３は一直線状に並んで位置し、且つその並び方向に直角な断面において円弧状に凹んでいることを特徴とする。【選択図】      図１
2004166600.tif 000002
【特許請求の範囲】
【請求項１】
中空の本体と、漁網ロープへの複数の取付部を備え、各取付部は、本体と離れて位置する漁網ロープ受け面と、本体と漁網ロープ受け面の間に位置する結束用ロープ挿通孔とを有し、各取付部の漁網ロープ受け面は一直線状に並んで位置し、且つその並び方向に直角な断面において円弧状に凹んでいることを特徴とする漁網用フロート。
【発明の詳細な説明】
【０００１】
【発明の属する技術分野】
本発明は、漁網用フロートに関するものである。
【０００２】
【従来の技術】
漁網用フロートには、中空の本体の中央にパイプを貫通して備え、そのパイプに漁網を吊るロープ（漁網ロープ）を挿通して取付ける貫通式と、本体の外部に孔の空いた取付部を張り出して設け、漁網ロープとフロートの取付部を結束用ロープで結束して取付けるミミ式の二通りのタイプがある（貫通式について例えば特許文献１、ミミ式について例えば特許文献２参照。）。これまでは貫通式が主流であったが、近年、漁網ロープへの取付作業の容易さからミミ式の要望が高まっている。
【０００３】
【特許文献１】
特開２００１−６９８７３号公報
【特許文献２】
実開平２−２３４７３号公報
【０００４】
【発明が解決しようとする課題】
漁網用フロートは、海が荒れた時には海中に引っ張り込まれることもあり、そんな時にミミ式のフロートでは、漁網ロープと結束しているフロートの取付部に強大な引っ張り力が作用する。そのため、フロートの取付部と漁網ロープとがしっかりと結束できていないと、取付部が漁網ロープと擦れて移動し、漁網ロープや結束用ロープを損傷したり、結束が解けてフロートが漁網から分離してしまうことがある。本発明はこうした実情に鑑み、漁網ロープに強固に且つ容易に結束取り付けできる漁網用フロートの提供を目的とする。
【０００５】
【課題を解決するための手段】
上記の課題を達成するために本発明の漁網用フロートは、中空の本体と、漁網ロープへの複数の取付部を備え、各取付部は、本体と離れて位置する漁網ロープ受け面と、本体と漁網ロープ受け面の間に位置する結束用ロープ挿通孔とを有し、各取付部の漁網ロープ受け面は一直線状に並んで位置し、且つその並び方向に直角な断面において円弧状に凹んでいることを特徴とする。
【０００６】
【発明の実施の形態】
以下、本発明の実施の形態を図面に基づいて説明する。図１から図３は、本発明の漁網用フロートの一実施形態を示している。このフロートは、図３に示すように、球形の中空の本体１に漁網ロープ５への取付部２を二箇所に有し、その取付部２を図１に示すような形で漁網ロープ５に当接し、結束用ロープ６で結束することによって、漁網ロープ５に取り付けられるものである。本体１は材質がアルミで、椀状の二つの分割体７ａ，７ｂから成っており、より詳しくは板厚２〜３ミリのアルミの板をプレス加工して一対の椀状の分割体７ａ，７ｂを形成し、一方の分割体７ａの開口縁部を他方の分割体７ｂの開口縁部に嵌め込み、合わせ目を溶接して一体化している。
【０００７】
取付部２は、３０ミリ程度の幅を有するアルミのフラットバーを曲げてリング状にして結束用ロープ挿通孔４を構成し、継ぎ目８側を本体１に当接し、溶接によって本体１に強固に固着されている。取付部２を構成するフラットバーは、図２に示すように、全長にわたり幅方向の中央部分が内側に凹むように円弧状に湾曲しており、これにより取付部２の外周側面には、漁網ロープ５の外径に沿って湾曲する漁網ロープ受け面３が形成されている。さらに取付部２を構成するフラットバーは、全長にわたり両側の側縁部９が円弧状に面取りしてある。また取付部２の形状について言えば、４５度に傾斜した傾斜部１０を左右対称に有しており、二つの取付部２，２は本体１の左右両側の斜め下の位置に配置され、左右の取付部２，２の下側の傾斜部１０，１０が本体１にほぼ接するような一直線状をなしている。
【０００８】
以上のように構成された漁網用フロートは、各取付部２に漁網ロープ受け面３が凹んだ曲面状に形成してあり、そこに漁網ロープ５が面で接し、その周りを結束用ロープ６で巻回して結束する（結び目は図示省略）ことにより、取付部２が漁網ロープ５にしっかりと固定され、取付部２が漁網ロープ５と擦れて移動することが防がれる。よって漁網ロープ５及び結束用ロープ６の損傷、破断を防止でき、フロートが漁網ロープ５から外れる虞れを極力小さくすることができる。さらに、取付部２の漁網ロープ受け面３の反対側の面にあたる結束用ロープ６の受け面１１が、中央が盛り上がった湾曲面となっており、且つその側縁部９が円弧状に面取りしてあることからも、結束用ロープ６の破断が防がれる。また、左右の取付部２の漁網ロープ受け面３が、本体１から離れて一直線状に並んで位置しており、しかもその受け面３が漁網ロープ５の外径に沿う凹曲面となっており引っ掛かりがあるため、取付部２を漁網ロープ５に結束する作業が容易に行い得る。さらに、取付部２をフラットバーで構成して横幅を持たせてあるため、従来の丸棒を曲げてＵ字状に形成したような形のものに比べて、取付部２の本体１への溶接強度が増大し、取付部２の端部に加わる回転モーメントに対する強度が得られる。
【０００９】
本発明はここに示した実施形態に限定されるものではなく、特許請求の範囲に記載した基本的な構成を満たす限り、本体の形状を横長のラグビーボール状としたり、取付部の形状や配置を変えたりといった形態の変更は、自由に行うことができる。
【００１０】
【発明の効果】
本発明の漁網用フロートは、複数設けた各取付部に漁網ロープ受け面を一直線状に並ぶ配置で備えており、且つその漁網ロープ受け面が並び方向に直角な断面において円弧状に凹んでおり、そこに漁網ロープが面で当ることから、取付部を漁網ロープに強固に結束固定することができ、しかも結束作業の作業性を向上することができる。
【図面の簡単な説明】
【図１】図３に示す漁網用フロートの取付部を、漁網ロープに結束した状態で拡大して示す正面図である。
【図２】図１におけるＡ−Ａ断面図である。
【図３】本発明の漁網用フロートの一実施形態を示す正面図である。
【符号の説明】
１  本体
２  取付部
３  漁網ロープ受け面
４  結束用ロープ挿通孔
５  漁網ロープ
６  結束用ロープ
【図１】
2004166600.tif 000003
【図２】
2004166600.tif 000004
【図３】
2004166600.tif 000005
(57)【要約】【課題】軽く、小型で、容易に取りつけできると共に、製作が簡単容易で安価につく鳩等の排除具を提供する。また、鳩等の鳥類や鼠等の小動物の行動に対し、不規則な反発弾性力や細針状の刺激を与えて、侵入や居住を忌避させる効果を与えることができる鳩等の排除具を提供する。【解決手段】ステンレス線、ピアノ線等の弾性金属線１０（Ａ）、１０（Ｂ）を挿入できるようにしたスポンジ等の挿入体２０に、前記金属線１０（Ａ）、１０（Ｂ）をＵ字状、Ｖ字状等に曲折して挿入し固定すると共に、前記挿入体２０の底部２１を固着できるようにしてなり、鳩等の鳥類、鼠等の小動物が侵入乃至居住できないようにしたもの。【選択図】    図１
2004166563.tif 000002
【特許請求の範囲】
【請求項１】
ステンレス線、ピアノ線等の弾性金属線を挿入できるようにしたスポンジ等の挿入体に、前記金属線をＵ字状、Ｖ字状等に曲折して挿入し固定すると共に、前記挿入体の底部を固着できるようにしてなり、鳩等の鳥類、鼠等の小動物が侵入乃至居住できないようにしたことを特徴とする鳩等の排除具。
【発明の詳細な説明】
【０００１】
【発明の属する技術分野】
本発明は、鳩等の鳥類、鼠等の小動物が侵入乃至居住できないようにした鳩等の排除具に関するものである。
【０００２】
【従来の技術】
従来、この種の排除具には、鉄板に剣山状の金属針を溶接したものがあったが、製作に手間とる上に、取りつけが面倒で、また、重く、落下すれば安全上危険性の恐れがあった。そこで、本発明者は、軽く、小型で、容易に取りつけることができると共に、製作も簡単容易で安価につく鳩等の排除具を開発することに成功した。
【０００３】
【発明が解決しようとする課題】
本発明は、軽く、小型で、容易に取りつけできると共に、製作が簡単容易で安価につく鳩等の排除具を提供するものである。
また、本発明は、鳩等の鳥類や鼠等の小動物の行動に対し、不規則な反発弾性力や細針状の刺激を与えて、侵入や居住を忌避させる効果を与えることができる鳩等の排除具を提供するものである。
【０００４】
【課題を解決するための手段】
すなわち、本発明鳩等の排除具は、上記課題を達成するため、図１及び図２に示すように、ステンレス線、ピアノ線等の弾性金属線１０（Ａ）、１０（Ｂ）を挿入できるようにしたスポンジ等の挿入体２０に、前記金属線１０（Ａ）、１０（Ｂ）をＵ字状、Ｖ字状等に曲折して挿入し固定すると共に、前記挿入体２０の底部２１を固着できるようにしてなり、鳩等の鳥類、鼠等の小動物が侵入乃至居住できないようにしたものである。
本発明において、金属線は、ステンレス線、ピアノ線等の硬質弾性で、通常、線径０．２〜０．４ミリメートル程度のものを使用することが好ましい。金属線は、Ｕ字状、Ｖ字状等に曲折して挿入すれば、抜け難く固定し、また、鳥類や小動物が接触すれば、針状刺激を与えるが、これにより金属線が脱離することもないものである。
また、本発明において、挿入体は、前記曲折して挿入される金属線を固定するものであれば、軟質、半硬質、硬質のスポンジ発泡体等のほか、時間の経過と共に硬化する粘土、パテ状合成樹脂等でもよい。
本発明排除具は、ベランダの手すり、吸排気装置等の家屋設備のほか道路、土壌等におかれた板状物、ブロック等に設置される。特に、ゴミ集積場には本発明品が有効である。
【０００５】
【発明の実施の形態】
本発明の実施の形態が図１及び図２に示されている。
本発明実施例の鳩等の排除具は、金属線１０と挿入体２０と両面接着テープ３０とからなる。
金属線１０は、線径０．３ミリメートルの硬質ステンレス線をＶ字状１０（Ａ）又はＵ字状１０（Ｂ）に曲折したものからなる。Ｖ字状金属線１０（Ａ）又はＵ字状金属線１０（Ｂ）の上部１１（Ａ）、１１（Ｂ）は、仮想線１２（Ａ）、１２（Ｂ）に示すように、任意の方向に向け折り曲げて調整してもよい。
挿入体２０は、合成樹脂発泡体製の半硬質スポンジで、金属線１０を挿入してその折曲げ部１３（Ａ）、１３（Ｂ）で固定するものである。
両面接着テープ３０は、粘着部３１と剥離紙３２とからなり、片面を固定体２０の底面２１に接着している。
従って、本発明品を鳩の排除に供する場合に例示すれば、図２に示すように、ベランダの手すり、吸排気口上など鳩の止まりそうな場所４０に設置しておけば、鳩は寄り付かなくなる。同様に烏やすずめ、その他の鳥類、ねずみ、もぐら、その他の小動物を有効に排除できる。
【０００６】
【発明の効果】
以上のように、本発明によれば、軽量、小型で容易に取りつけできると共に、落下や接触があっても人体や家畜には被害は発生せず、安全に使用できる。
また、鉄板や木板上に設置して道路や土壌上等にも置くことができ、排除範囲を広くすることができる。
さらに、製作が簡単容易で安価につき、量産できる利点がある。
【図面の簡単な説明】
【図１】本発明の実施の形態を示す斜視図である。
【図２】本発明の使用状態を示す正面図である。
【符号の説明】
１０      金属線
２０      挿入体
２１      挿入体の底面
３０      両面接着テープ
【図１】
2004166563.tif 000003
【図２】
2004166563.tif 000004
(57)【要約】【課題】水の抵抗が少ない方法で海面からの距離を適切に保つ事。【解決手段】本発明は、外輪を用いて海面からの適切な距離を保つ事を特徴とする。さらに外輪中心から外輪を通じて海面に向かって高圧のガス及び空気を吹き付け揚力を得ている。外輪は必ずしも機械的に動力機関とつなげる事を必要としない。水の圧力を受けて自然に回転させるだけで良い、ただしこの場合には別個に推進装置を必要とする。  地面効果を発生させる翼４の翼端に取り付けた外輪３から高圧ガス及び空気をを海面に吹き付ける。【選択図】          図１
2004230970.tif 000002
【特許請求の範囲】
【請求項１】
外輪を用いて海面及び水面からの適切な距離を保つ事を特徴とする地面効果を利用した外輪船。
【発明の詳細な説明】
【０００１】
【発明が属する技術分野】
本発明は外輪を用いて海面及び水面からの適切な距離を保つ事を特徴とする地面効果を利用した外輪船に関するものである。
【０００２】
【従來の技術】
地面効果を利用して海面を移動する際重要なのは、海面からの適切な距離を保つ事である。従來の技術では水中翼を利用していたが水の抵抗が大きく効率が悪かった。
【０００３】
【発明が解決しようとする課題】
水中翼では水の抵抗が大きく効率が悪いので，燃費が悪くなってしまう事である。
【０００４】
【課題を解決するための手段】
本発明は、外輪を用いて海面からの適切な距離を保つ事を特徴とする。さらに外輪中心から外輪を通じて海面に向かって高圧のガス及び空気を吹き付け揚力を得ている。外輪は必ずしも機械的に動力機関とつなげる事を必要としない。水の圧力を受けて自然に回転させるだけで良い、ただしこの場合には別個に推進装置を必要とする。
【０００５】
【発明の実施の形態】
地面効果を発生させる翼４を本体１に取り付け、さらにその翼４の翼端に外輪３を取り付けて翼４、特に翼端が海面に接触する事を防止している。
【０００６】
【発明の効果】
外輪は水の抵抗に逆らう事無く回転するので水の抵抗による燃費の悪化を心配しなくても良い。更に外輪によって高圧のガスが海中にまで送り届けられるのでガスの圧力を効率良く海面に伝える事ができる。
【図面の簡単な説明】
【図１】外輪船の全体図
【図２】外輪の断面図
【図３】外輪の断面図
【符号の説明】
１  本体
２  尾翼
３  外輪
４  翼
５  内部を高圧ガス及び空気の通る中空軸
６  高圧ガス及び空気の出口
７  水面
【図１】
2004230970.tif 000003
【図２】
2004230970.tif 000004
【図３】
2004230970.tif 000005